(57)【要約】【課題】  十分な強度をもった結合部が得られる椅子用シートを提供する。【解決手段】  クッション体が前面に装着される中シェル３と、この中シェル３の後面に取付けられる外シェル５とを備える椅子用シート１において、前記中シェルの後面上部に、中シェルの上端縁３ａよりも下方側が後方へ突出する段部１５を設けるとともに、この段部に、上方と後方が開口する切欠き１６を設け、この切欠きの下面に、上方を向く係合片１７を突設し、かつ、前記外シェル５の前面上部に、前記切欠き１６に嵌合するとともに、前記係合片１７と係合可能な下方が開口する箱状の係合部１９を設ける。【選択図】  図８
2005211250.tif 000002
【特許請求の範囲】
【請求項１】
クッション体が前面に装着される中シェルと、この中シェルの後面に取付けられる外シェルとを備える椅子用シートにおいて、
前記中シェルの後面上部に、中シェルの上端縁よりも下方側が後方へ突出する段部を設けるとともに、この段部に、上方と後方が開口する切欠きを設け、この切欠きの下面に、上方を向く係合片を突設し、かつ、前記外シェルの前面上部に、前記切欠きに嵌合するとともに、前記係合片と係合可能な下方が開口する箱状の係合部を設けたことを特徴とする椅子用シート。
【請求項２】
前記係合片と、この係合片と対向する切欠きの前面との間をリブで連結するとともに、前記係合部に、前記リブが嵌合可能な切込部を設けたことを特徴とする請求項１記載の椅子用シート。
【請求項３】
前記中シェルの後面中央部に、座席用フレームの上部が嵌合して取付けられる凹入部を設けるとともに、この凹入部の上側周縁部に前記係合片を設け、これに対応して外シェルに係合部を設けることによって、第１の結合部を形成し、かつ前記凹入部の左右の周縁部に、後方と前記凹入部方向とが開口する切欠きを設け、この切欠き内の上下方向の相対向する側壁面から他方の側壁面に向けて弾性係合片をそれぞれ突設し、さらに外シェルの前面に、前記切欠きに嵌合するとともに、前端に前記弾性係合片と係合可能な係合爪を有する係合突起を設けることによって、第２の結合部を設けたことを特徴とする請求項１または２記載の椅子用シート。
【請求項４】
座席用フレームが背もたれ杆である請求項３記載の椅子用シート。
【請求項５】
座席用フレームが座シートにおける側杆である請求項３記載の椅子用シート。
【発明の詳細な説明】
【技術分野】
【０００１】
本発明は、クッション体が前面に装着される合成樹脂製の中シェルと、この中シェルの後面に取付けられる合成樹脂製の外シェルとを備える椅子用シートに関する。
【背景技術】
【０００２】
椅子用シートとしては、中シェルと外シェルとの相対向する面の一方に、２つの支持片を平行させて立設するとともに、それらの支持片の先端を連結片によって連結して、前記一方の面と支持片と連結片とによって空間部を形成し、他方の面に設けた下向きＬ字状の鉤状片を、前記空間部に挿入させることによって、中シェルと外シェルとを互いに結合させるものがある（例えば、特許文献１参照）。
【０００３】
前記椅子用シートでは、中シェルに対して外シェルが相対的に離反する方向の力が作用すると、鉤状片が連結片によって規制され、中シェルに対する外シェルの離反が防止され、また、中シェルに対して外シェルが側方に移動する方向の力が作用すると、鉤状片の側面が支持片によって規制され、中シェルに対する外シェルの側方への移動が防止される。
【０００４】
また、中シェルと外シェルとの相対向する面の一方に、弾性係止片を設けるとともに、他方に係合突起を設け、この係合突起の先端に形成した爪を、弾性係合片に係合させることによって、中シェルと外シェルとを互いに結合させたものがある（例えば、特許文献２参照）。
【０００５】
特許文献２に開示されている椅子用シートでは、中シェルの後面に窪み部を形成し、この窪み部の開口部に、窪み部の内方に向かって互いに内向きに傾斜する１対の弾性係止片を形成するとともに、外シェルの前面に軸部を突設し、この軸部の前端に鍔状に突出する鉤部を形成して、前記軸部の前端の鉤部を前記窪み部の弾性係止片の間に挿入し、軸部の前端の鉤部を、前記弾性係止片に係止することにより、中シェルと外シェルとを互いに結合するようにしている。
【特許文献１】特開平８−２５２１４８号公報（図５）
【特許文献２】特願平７−２５５５５６号公報（図１〜図４）
【発明の開示】
【発明が解決しようとする課題】
【０００６】
特許文献１に開示された椅子用シートでは、一方の結合部である鉤状片が、中シェルから突設されているだけなので、十分な強度が得られず、鉤状片が折れる虞がある。
【０００７】
また、特許文献２に開示された椅子用シートでは、中シェルに形成される窪み部の底壁が、中シェルの前面からクッション体側へ突出しているため、その部分のクッション性が不良になるとともに、椅子に着座することによる負荷が、結合部に悪影響を与える虞がある。
【０００８】
本発明は、従来の技術が有する上記のような問題点に鑑み、十分な強度をもった結合部が得られるとともに、結合部が中シェルの前面に部分的に突出してクッション性を低下させることなく、かつ椅子に着座した際の負荷が結合部に悪影響を与えることがない椅子用シートを提供することを目的とする。
【課題を解決するための手段】
【０００９】
本発明によると、上記課題は、次のようにして解決される。
（１）クッション体が前面に装着される中シェルと、この中シェルの後面に取付けられる外シェルとを備える椅子用シートにおいて、前記中シェルの後面上部に、中シェルの上端縁よりも下方側が後方へ突出する段部を設けるとともに、この段部に、上方と後方が開口する切欠きを設け、この切欠きの下面に、上方を向く係合片を突設し、かつ、前記外シェルの前面上部に、前記切欠きに嵌合するとともに、前記係合片と係合可能な下方が開口する箱状の係合部を設ける。
【００１０】
（２）上記（１）項において、前記係合片と、この係合片と対向する切欠きの前面との間をリブで連結するとともに、前記係合部に、前記リブが嵌合可能な切込部を設ける。
【００１１】
（３）上記(１)項または(２)項において、前記中シェルの後面中央部に、座席用フレームの上部が嵌合して取付けられる凹入部を設けるとともに、この凹入部の上側周縁部に前記係合片を設け、これに対応して外シェルに係合部を設けることによって、第１の結合部を形成し、かつ前記凹入部の左右の周縁部に、後方と前記凹入部方向とが開口する切欠きを設け、この切欠き内の上下方向の相対向する側壁面から他方の側壁面に向けて弾性係合片をそれぞれ突設し、さらに外シェルの前面に、前記切欠きに嵌合するとともに、前端に前記弾性係合片と係合可能な係合爪を有する係合突起を設けることによって、第２の結合部を設ける。
【００１２】
(４)  上記(３)項において、座席用フレームが背もたれ杆であるものとする。
【００１３】
(５)  上記(３)項において、座席用フレームが座シートにおける側杆であるものとする。
【発明の効果】
【００１４】
本発明によると、次のような効果が奏せられる。
（ａ）前記(１)項記載の発明によると、外シェルの箱状係合部における前面側の側壁内面のほぼ全面が、中シェルにおける係合片の内面に当接して、外シェルが中シェルから離れる方向への移動が防止されるため、外シェルが中シェルに離反することなく強固に結合され、また、係合部の左右側壁の外面が切欠きの左右側壁の内面に当接して、外シェルの中シェルに対する左右方向への移動が防止されるので、係合片に負荷がかかることなく、係合片の損傷が防止される。
さらに、係合片と係合部とよりなる結合部が、中シェルの前面からクッション体側に突出していないため、クッション性を低下させることなく、かつ椅子に着座した際の負荷が結合部に悪影響を与えることもない。
【００１５】
（ｂ）前記(２)項記載の発明によると、係合片がリブによって切欠きの前面と連結されているため、前後方向の負荷に対する係合片の強度が高くなり、外シェルとの結合力をより高めることができる。
【００１６】
（ｃ）前記(３)項記載の発明によると、外シェルを中シェルの後上方から下方に押し下げて、まず第１の結合部を結合し、次いで外シェルを中シェルに向けて前方に押すことによって第２の結合部を結合するという簡単な作業をもって、外シェルと中シェルとを、第１、第２の両結合部によって強固に結合することができる。
【００１７】
（ｄ）前記(４)項記載の発明によると、クッション性の良い椅子の背凭れを簡単に形成することができる。
【００１８】
（ｅ）前記(５)項記載の発明によると、クッション性の良い椅子の座を簡単に形成することができる。
【発明を実施するための最良の形態】
【００１９】
以下、本発明の一実施の形態を、図面に基づいて説明する。
図１は、本発明に係る椅子用シートを示す斜視図、図２は、図１の椅子用シートの中シェルと外シェルと背凭れ杆とを分解して示す斜視図、図３は、外シェルを取り除いた状態の中シェルの拡大背面図である。図４〜図７は、中シェルと外シェルとを互いに結合させた状態の断面図であり、それぞれ、図３におけるIV〜IV線、Ｖ〜Ｖ線、VI〜VI線、VII〜VII線の断面図である。図８は、図３に示す中シェルのＡ部と、このＡ部に対応する外シェルの部位を示す拡大斜視図である。図９〜図１１は、中シェルと外シェルとを互いに結合させた状態の結合部を示す断面図であり、それぞれ、図８におけるIX〜IX線、Ｘ〜Ｘ線、XI〜XI線の断面図である。
【００２０】
椅子用シート(１)は、ウレタン等の発泡樹脂製のクッション体(２)を前面に装着する硬質合成樹脂製の中シェル(３)と、この中シェル(３)とほぼ同形状を成し、中シェル(３)の後面との間に、背凭れ杆(４)の上部を装着する外シェル(５)とを備えている。
【００２１】
図３に示すように、中シェル(３)の後面には、中央部に、背凭れ杆(４)の上部を収容する正面視ほぼ縦長四辺形の凹入部(６)が形成されており、この凹入部(６)の底面には、上部および下部に、それぞれ水平方向に並んで、それぞれ２個のねじ取付け用ボス(７)(８)が立設されている。これらの取付け用ボス(７)(８)の後端面には、雌ねじ孔(7a)(8a)が形成されている。
【００２２】
背凭れ杆(４)は、図２に示すように、平行に配置され、ほぼＬ字状に屈曲された２本のパイプ(９)(９)と、それらのパイプ(９)(９)の上部と中間部において、パイプ間を連結する連結板(10)(11)とによって構成されている。連結板(10)(11)には、ねじ挿通孔(10a)(11a)が形成されている。
【００２３】
中シェル(３)は、図４および図７に示すように、ボス(７)(８)を背凭れ杆(４)の連結板(10)(11)に当接させ、連結板(10)(11)のねじ挿通孔(10a)(11a)に挿通させたねじ(12a)(12b)をボス(７)(８)に形成した雌ねじ孔(7a)(8a)に螺合させることによって、背凭れ杆(４)に締結される。
【００２４】
また、外シェル(５)は、背凭れ杆(４)の上部を挟むようにして、中シェル(３)の後面に合わせ、後述する第１および第２の結合部(13)(14)（図５参照）によって、中シェル(３)に結合されている。
背凭れ杆(４)の上部は、図６および図７に示すように、中シェル(３)の凹入部(６)内に装着され、外シェル(５)によって後方から覆われている。
【００２５】
図２、図３に示すように、中シェル(３)の後面には、上端縁(3a)の下方に設けられた段部(15)の４箇所に、第１の結合部(13)の一方の要素(13a)が形成され、左右の周縁部(3b)(3b)の上部および下部のそれぞれ２箇所に、第２の結合部(14)の一方の要素(14a)が形成されている。
【００２６】
一方、外シェル(５)の前面には、中シェル(３)の第１の結合部(13)の一方の要素(13a)および第２の結合部(14)の一方の要素(14a)と、それぞれ対応する位置に、第１の結合部(13)の他方の要素(13b)および第２の結合部(14)の他方要素(14b)が形成されている。
【００２７】
中シェル(３)の第１の結合部(13)の一方の要素(13a)は、図８に拡大して示すように、中シェル(３)の後面における上端縁(3a)の面よりも後方へ突出された段部(15)に形成され、この段部(15)に、上方と後方に開口する切欠き(16)と、この切欠き(16)における左右および前面の各側壁(16a)(16b)と、それぞれ適宜な間隔をもって、切欠き(16)の下面(16c)から上方へ突設された係合片(17)とによって構成されている。前記係合片(17)と、この係合片(17)に相対向する切欠き(16)の前面側壁(16b)とは、左右の中間部において、リブ(18)によって互いに連結されている。このリブ(18)は、切欠き(16)の下面(16c)から立上り、その高さは、前記係合片(17)の上端よりも少し低い。
【００２８】
一方、外シェル(５)における第１の結合部(13)の他方の要素(13b)は、外シェル(５)の前面に、下向きに開口する箱状の係合部(19)によって構成されている。前記係合部(19)の前面側の側壁(19c)の中央部には、前記リブ(18)に嵌合する切込み(21)が形成されている。
【００２９】
前記第１の結合部(13)は、外シェル(５)に設けた箱状の係合部(19)の開口(19a)を、中シェル(３)の係合片(17)の上方に位置させ、外シェル(５)を下方に移動させることによって、前記係合部(19)を前記係合片(17)に嵌合させて、外シェル(５)を中シェル(３)に結合させることができる。
【００３０】
図９に示すように、外シェル(５)に設けた箱状の係合部(19)の側壁(19b)(19c)が、中シェル(３)の切欠き(16)の各側壁(16a)(16b)と、切欠き(16)の下面(16c)から立設された係止片(17)との間に画成される平面視コ字状の溝部に嵌入され、中シェル(３)から外シェル(５)が離れる後方向の移動は、係合部(19)の前面側の側壁(19c)が係止片(17)に当接することにより規制され防止され、外シェル(５)の中シェル(３)に対する左右方向への移動は，係合部(19)の側壁(19b)が切欠き(16)の側壁(16a)に当接して規制され防止される。
【００３１】
図１２は、図３に示す中シェル(３)のＢ部と、このＢ部に対応する外シェル(５)の部位を示す拡大斜視図、図１３は、図５におけるＣ部の拡大断面図である。
【００３２】
中シェル(３)の第２の結合部(14)の一方の要素(14a)は、図１２に拡大して示すように、凹入部(６)の左右に画成される段状の周縁部(3b)に、後方および凹入部(６)方向に開口する切欠き(22)と、この切欠き(22)内の上下方向の相対向する側壁(22a)面から、他方の側壁面に向けて突設された弾性係合片(22b)とによって構成されている。前記弾性係合片(22b)の遊端は、前向きに曲折されている。
【００３３】
一方、外シェル(５)の第２の結合部(14)の他方の要素(14b)は、外シェル(５)の前面から突設され、側面視において後向きに開口するコ字形を成し、前端の上下に係合爪(23d)(23d)を備える係合突起(23)として構成されている。
【００３４】
前記係合突起(23)は、中シェル(３)の前記切欠き(22)内に嵌合されることによって、切欠き(22)に設けた上下１対の弾性係合片(22b)(22b)を押し広げて、これを乗り越える状態で挿入され、図１３に示すように、係合突起(23)の係合爪(23d)(23d)が弾性係合片(22b)(22b)に係合される。
【００３５】
以上本発明を背シートに適用した例にについて説明したが、本発明は、座シートにも適用しうることは明らかである。
【図面の簡単な説明】
【００３６】
【図１】本発明に係る椅子用シートを示す斜視図である。
【図２】図１の椅子用シートの中シェルと外シェルと背凭れ杆とを分解して示す斜視図である。
【図３】外シェルを取り除いた状態の中シェルの拡大背面図である。
【図４】図３のIV〜IV線における中シェルと、外シェルとを互いに結合させた状態の断面図である。
【図５】図３のＶ〜Ｖ線における中シェルと外シェルとを互いに結合させた状態の断面図である。
【図６】図３のVI〜VI線における中シェルと、外シェルとを互いに結合させた状態の断面図である。
【図７】図３のVII〜VII線における中シェルと外シェルとを互いに結合させた状態の断面図である。
【図８】図３に示す中シェルのＡ部と、このＡ部に対応する外シェルの部位を示す拡大斜視図である。
【図９】図８のIX〜IXにおいて、中シェルと外シェルとを互いに結合させた状態の結合部を示す断面図である。
【図１０】図８のＸ〜Ｘ線において、中シェルと外シェルとを結合させた状態の結合部を示す斜視図である。
【図１１】図８のXI〜XI線において、中シェルと外シェルとを結合させた状態の結合部を示す斜視図である。
【図１２】図３に示す中シェルのＢ部と、このＢ部に対応する外シェルの部位を示す拡大斜視図である。
【図１３】図５におけるＣ部の拡大断面図である。
【符号の説明】
【００３７】
(１)椅子用シート
(２)クッション体
(３)中シェル
(3a)上端縁（周縁部）
(3b)周縁部
(４)背凭れ杆
(５)外シェル
(６)凹入部
(７)(８)ねじ取付け用ボス
(7a)(8a)雌ねじ孔
(９)パイプ
(10)(11)連結板
(10a)(11a)孔
(12)ねじ
(13)第１の結合部
(13a)一方の要素
(13b)他方の要素
(14)第２の結合部
(14a)一方の要素
(14b)他方の要素
(15)段部（周縁部）
(16)切欠き
(16a)(16b)側壁
(16c)下面
(17)係合片
(18)リブ
(19)係合部
(19a)開口
(19b)(19c)側壁
(20)中空部
(21)切込み
(21a)開口
(21b)(21c)側壁
(22)切欠き
(22a)側壁
(22b)弾性係合片
(23)係合突起
(23a)対向壁
(23b)端壁
(23c)天井壁
(23d)係合爪
【図１】
2005211250.tif 000003
【図２】
2005211250.tif 000004
【図３】
2005211250.tif 000005
【図４】
2005211250.tif 000006
【図５】
2005211250.tif 000007
【図６】
2005211250.tif 000008
【図７】
2005211250.tif 000009
【図８】
2005211250.tif 000010
【図９】
2005211250.tif 000011
【図１０】
2005211250.tif 000012
【図１１】
2005211250.tif 000013
【図１２】
2005211250.tif 000014
【図１３】
2005211250.tif 000015